(57)【要約】【課題】引き出し線や接続線を保護する絶縁部材を簡単に塗布することができる液晶表示装置を提供する。【解決手段】液晶パネル１２の棚部１８の両側であって、両角部近傍の範囲を除く位置に配置された一対のシート状の遮蔽部材３０，３０と、遮蔽部材３０を棚部１８に接着し、かつ、遮蔽部材３０の外側のみに設けられた接着層３２と、引き出し線２４と接続線２６を覆い、かつ、遮蔽部材３０とアレイ基板１４との隙間に塗布されたシリコン２８とよりなる。【選択図】      図２
2008241922.tif 000002
【特許請求の範囲】
【請求項１】
アレイ基板と対向基板との間に液晶層が挟持された液晶パネルと、
前記アレイ基板の棚部上に設けられ、前記アレイ基板における各画素と複数の引き出し線によって接続されたＩＣチップと、
前記アレイ基板の棚部の端部に取り付けられ、前記ＩＣチップと複数の接続線によって接続されたフレキシブル配線基板と、
を有する液晶表示装置において、
前記棚部の両側であって、前記棚部の両角部近傍の範囲を除く位置に配置された一対のシート状の遮蔽部材と、
前記遮蔽部材を前記棚部に接着し、かつ、前記遮蔽部材の外側のみに設けられた接着層と、
前記アレイ基板上の前記複数の引き出し線と前記複数の接続線を覆い、かつ、前記遮蔽部材と前記アレイ基板との隙間に塗布された絶縁部材と、
を有する液晶表示装置。
【請求項２】
前記一対の遮蔽部材との間を延設部材によって接続して一体となし、
前記延設部材が前記ＩＣチップと前記フレキシブル配線基板との間に配されている、
請求項１記載の液晶表示装置。
【請求項３】
前記遮蔽部材がＰＥＴである、
請求項１記載の液晶表示装置。
【請求項４】
前記遮蔽部材が透明、または、透明黄色である、
請求項１記載の液晶表示装置。
【請求項５】
前記絶縁部材がシリコンである、
請求項１記載の液晶表示装置。
【請求項６】
前記棚部の両角部近傍の範囲が矩形である、
請求項１記載の液晶表示装置。
【発明の詳細な説明】
【技術分野】
【０００１】
本発明は、液晶表示装置の液晶パネルにおける絶縁構造に関するものである。
【背景技術】
【０００２】
液晶パネルの棚部には、ＩＣチップが設けられ、このＩＣチップと各画素との間には引き出し線が設けられ、また、ＩＣチップとフレキシブル配線基板（以下、ＦＰＣという）との間には接続線が設けられている。そのため、これら接続線や引き出し線が露出しないようにするため、シリコン等の被覆材を被せて保護している（例えば、特許文献１参照）。
【特許文献１】特開平８−３２０５００号公報
【発明の開示】
【発明が解決しようとする課題】
【０００３】
図６は、携帯電話に取り付けられる液晶パネル１００の一部拡大平面図である。
【０００４】
この液晶パネル１００の棚部１０２には、ＣＯＧ（チップ・オン・グラス）によるＩＣチップ１０４が取り付けられ、また、この棚部１０２の端部にはＦＰＣ１０６が取り付けられている。このＩＣチップ１０４と液晶パネル１００の各画素の間には上記したように複数の引き出し線１１２が設けられ、ＩＣチップ１０４とＦＰＣ１０６との間には接続線１１４が設けられている。そして、これら引き出し線１１２と接続線１１４を保護するためにシリコン１０８が塗布されている。
【０００５】
ところで、携帯電話等のように実装部品が狭いスペースに収納する場合には、棚部１０２の両側の角部に、他の部品が配置されやすいようにするために空間１１０、１１０を設ける必要がある。
【０００６】
そのため、この空間１１０にシリコン１０８が塗布されないようにするために、このシリコン１０８を塗布する作業者が塗布ノズルの位置を微調整して塗布していた。また、この付近は、シリコン１０８の塗布する高さも予め設定されており、この設定された高さより高くならないように調整する必要があった。
【０００７】
このように、シリコン１０８を塗布するときに作業者の技術が必要であり、その作業が非常に難しいという問題点があった。
【０００８】
そこで、本発明は上記問題点に鑑み、引き出し線や接続線を保護する絶縁部材を簡単に塗布することができる液晶表示装置を提供する。
【課題を解決するための手段】
【０００９】
本発明は、アレイ基板と対向基板との間に液晶層が挟持された液晶パネルと、前記アレイ基板の棚部上に設けられ、前記アレイ基板における各画素と複数の引き出し線によって接続されたＩＣチップと、前記アレイ基板の棚部の端部に取り付けられ、前記ＩＣチップと複数の接続線によって接続されたフレキシブル配線基板と、を有する液晶表示装置において、前記棚部の両側であって、前記棚部の両角部近傍の範囲を除く位置に配置された一対のシート状の遮蔽部材と、前記遮蔽部材を前記棚部に接着し、かつ、前記遮蔽部材の外側のみに設けられた接着層と、前記アレイ基板上の前記複数の引き出し線と前記複数の接続線を覆い、かつ、前記遮蔽部材と前記アレイ基板との隙間に塗布された絶縁部材と、を有する液晶表示装置である。
【発明の効果】
【００１０】
本発明によれば、絶縁部材が一対の遮蔽部材によって塗布される部分が限定され、その高さも限定されるため、簡単に塗布することができる。
【発明を実施するための最良の形態】
【００１１】
以下、本発明の液晶表示装置１０の各実施形態について図面に基づいて説明する。
【００１２】
（第１の実施形態）
以下、本発明の第１の実施形態の液晶表示装置１０について図１〜図４に基づいて説明する。
【００１３】
（１）液晶表示装置１０の構成
液晶表示装置１０は、携帯電話に搭載されるものであって、２〜３インチの液晶パネル１２を有している。この液晶パネル１２は、アレイ基板１４の上面に液晶層を挟んで対向基板１６が配置され、アレイ基板１４の大きさが対向基板１６よりも大きく、棚部１８が形成されている。
【００１４】
この棚部１８の辺に沿ってＣＯＧによるＩＣチップ２０が設けられている。このＩＣチップ２０は、液晶パネル１２のドライバ回路を含んでいる。
【００１５】
また、棚部１８の端部には、携帯電話の本体にある主制御部に接続するためのＦＰＣ２２が取り付けられている。
【００１６】
ＩＣチップ２０と、アレイ基板１４の各画素との間には、複数の引き出し線２４が配線されている。また、ＩＣチップ２０とＦＰＣ２２との間にも複数の接続線２６が配線されている。
【００１７】
（２）絶縁構造
上記構成の液晶表示装置１０における複数の引き出し線２４と複数の接続線２６はアレイ基板１４上に配線されているため、露出した状態となっており、シリコン２８により被覆し保護する必要がある。以下、その絶縁構造の形成方法について図２と図３に基づいて説明する。
【００１８】
まず、棚部１８の両側に一対の遮蔽部材３０，３０を配置する。これら遮蔽部材３０は、ＰＥＴよりなる透明黄色または透明色のフィルムであってシート状を成し、図２に示すように「く」の字状である。この遮蔽部材３０の下面側には接着層３２が設けられている。但し、この接着層３２は遮蔽部材３０の下面全面に設けられているのではなく、「く」の字状の遮蔽部材３０の角部側の三角形エリア３４を除く範囲に形成されている。そして、これら遮蔽部材３０は、図２に示すように、三角形エリア３４が互いに向き合う方向、即ち、内側になるように配置され、遮蔽部材３０の「く」の字部分の間の空間３６が棚部１８の角部に形成されるように配置する。この棚部１８に「く」の字状の遮蔽部材３０を貼り付けるときに、図２に示すように棚部１８の縁部との距離ＢとＣがほぼ一定になるように貼り付ければ、常に同じ位置に一対の遮蔽部材３０を貼り付けることができる。
【００１９】
上記のようにしてアレイ基板１４の棚部１８にそれぞれ接着した一対の遮蔽部材３０，３０の間にシリコン２８を塗布する。シリコン２８は、ＩＣチップ２０の回りに塗布され、この複数の引き出し線２４及び接続線２６を被覆する。図３に示すように、三角形エリア３４には接着層３２が塗布されていないため、遮蔽部材３０とアレイ基板１４との間には隙間１５が形成され、この隙間１５にシリコン２８が浸入し固まる。三角形エリア３４における隙間１５の高さは、５０〜７５μｍであり、これに伴って接着層３２の高さも５０〜７５μｍとなる。
【００２０】
そして、遮蔽部材３０は透明黄色または透明色であるため、図２に示すように平面から見ると、シリコン２８がこの三角形エリアに沿って充填されるときに、外観が綺麗となる。
【００２１】
また、この遮蔽部材３０によってシリコン２８がそれよりも外方に出ることがないため、実装上必要な空間３６が必ず空くこととなる。
【００２２】
また、この塗布は、従来のような高度な技術が必要とせず、ＩＣチップ２０の回りにシリコン２８を塗布すればよい。
【００２３】
また、この場合に塗布する高さも三角形エリア３４の隙間によって調整されるため、高くなったりすることがない。
【００２４】
（３）遮蔽部材３０の形成方法
上記のような遮蔽部材３０の形成方法としては、図４に示すように、１枚のＰＥＴよりなるシートに、「く」の字状の遮蔽部材３０を形成する。この場合に、上部の部分には三角形エリア３４が並ぶようにし、下部にはそれ以外の部分が並ぶようにする。下部の部分に接着層３２を形成し、三角形エリア３４がある上部には接着層３２を設けない。また、この境目部分にミシン線３８を設け、遮蔽部材３０を１個ずつミシン線３８の部分から上部の部分を切り離し、棚部１８に貼り付けていく。
【００２５】
（第２の実施形態）
次に、図５に基づいて第２の実施形態の液晶表示装置１０について説明する。
【００２６】
本実施形態と第１の実施形態の異なる点は、一対の遮蔽部材３０，３０の間に延設部材４０が設けられ、シート状の一対の遮蔽部材３０，３０が延設部材４０によって一体となっている点にある。この延設部材４０は、ＩＣチップ２０とＦＰＣ２２との間に配置され、さらに、接着層３２が設けられていないエリア３１は、図５に示すように、一対の遮蔽部材３０と延設部材４０の内側の部分とする。
【００２７】
このような構成の遮蔽部材３０であると、隙間がある内側のエリア３１にシリコン２８が塗布され、より確実に複数の引き出し線２４と接続線２６をシリコン２８によって被覆することができ、また、一対の空間３６，３６を確保することができる。
【００２８】
（変更例）
本発明は上記各実施形態に限らず、その主旨を逸脱しない限り種々に変更することができる。
【００２９】
上記実施形態では携帯電話における液晶表示装置について説明したが、これ以外の例えば携帯通信端末等の液晶表示装置にも適用することができる。
【図面の簡単な説明】
【００３０】
【図１】第１の実施形態の液晶表示装置１０の平面図である。
【図２】液晶パネルの一部拡大平面図である。
【図３】図２におけるＡ−Ａ線断面図である。
【図４】遮蔽部材の形成方法を示す説明図である。
【図５】第２の実施形態の液晶パネルの拡大平面図である。
【図６】従来の液晶パネルの一部拡大平面図である。
【符号の説明】
【００３１】
１０  液晶表示装置
１２  液晶パネル
１４  アレイ基板
１６  対向基板
１８  棚部
２０  ＩＣチップ
２２  ＦＰＣ
２４  引き出し線
２６  接続線
２８  シリコン
３０  遮蔽部材
３２  接着層
３４  三角形エリア
３６  空間
【図１】
2008241922.tif 000003
【図２】
2008241922.tif 000004
【図３】
2008241922.tif 000005
【図４】
2008241922.tif 000006
【図５】
2008241922.tif 000007
【図６】
2008241922.tif 000008